(57)【要約】  【課題】コンベヤ本体を容易に水平状態にできるコンベヤ装置を提供する。  【解決手段】コンベヤ装置１は、回動中心孔および円弧状長孔26を有するコンベヤ本体２を具備する。コンベヤ本体２には、円弧状長孔26を利用して回動調節可能な本体支持脚３を設ける。コンベヤ本体２には、本体支持脚３を水平支持位置に位置決めするための第１水平用孔および第２水平用孔をそれぞれ回動中心孔および円弧状長孔26に連続して設ける。  【選択図】図１
2005075593.tif 000002
【特許請求の範囲】
【請求項１】
コンベヤ本体と、このコンベヤ本体を支持する本体支持脚とを具備し、
前記コンベヤ本体および前記本体支持脚のいずれか一方は、円弧状長孔を有し、
前記本体支持脚を水平支持位置に位置決めするための水平用孔が前記円弧状長孔に連続した状態に形成されている
ことを特徴とするコンベヤ装置。
【請求項２】
脚被固定板を備えるコンベヤ本体と、
このコンベヤ本体の前記脚被固定板に対して第１固定具および第２固定具にて固定された回動調節可能な本体支持脚とを具備し、
前記脚被固定板は、
前記本体支持脚の回動調節の際に回動中心となる回動中心孔と、
この回動中心孔を中心とする円弧状の円弧状長孔と、
前記回動中心孔に連続した第１水平用孔と、
この第１水平用孔に対応し前記円弧状長孔に連続した第２水平用孔とを有し、
前記コンベヤ本体の傾斜状態時には、前記第１固定具が前記回動中心孔内に位置するとともに、前記第２固定具が前記円弧状長孔内に位置し、
前記コンベヤ本体の水平状態時には、前記第１固定具が前記第１水平用孔内に位置するとともに、前記第２固定具が前記第２水平用孔内に位置する
ことを特徴とするコンベヤ装置。
【請求項３】
第１水平用孔および第２水平用孔は、いずれも上方膨出状に形成されている
ことを特徴とする請求項２記載のコンベヤ装置。
【発明の詳細な説明】
【技術分野】
【０００１】
本発明は、コンベヤ本体を容易に水平状態にできるコンベヤ装置に関するものである。
【背景技術】
【０００２】
従来、例えば回動中心孔およびこの回動中心孔を中心とする円弧状の円弧状長孔がそれぞれ形成された脚被固定板を備えるコンベヤ本体と、このコンベヤ本体に設けられ円弧状長孔を利用して回動調節可能な本体支持脚とを具備したローラコンベヤ等のコンベヤ装置が知られている（例えば、特許文献１参照。）。
【特許文献１】特開平５−２３８５２６号公報
【発明の開示】
【発明が解決しようとする課題】
【０００３】
しかしながら、上記従来のコンベヤ装置では、本体支持脚を水平支持位置に位置決めするのに手間がかかり、コンベヤ本体を水平状態にしにくいという問題がある。
【０００４】
本発明は、このような点に鑑みなされたもので、コンベヤ本体を容易に水平状態にできるコンベヤ装置を提供することを目的とする。
【課題を解決するための手段】
【０００５】
請求項１記載のコンベヤ装置は、コンベヤ本体と、このコンベヤ本体を支持する本体支持脚とを具備し、前記コンベヤ本体および前記本体支持脚のいずれか一方は、円弧状長孔を有し、前記本体支持脚を水平支持位置に位置決めするための水平用孔が前記円弧状長孔に連続した状態に形成されているものである。
【０００６】
そして、本体支持脚を水平支持位置に位置決めするための水平用孔が円弧状長孔に連続した状態に形成されているため、コンベヤ本体を容易に水平状態にすることが可能である。
【０００７】
請求項２記載のコンベヤ装置は、脚被固定板を備えるコンベヤ本体と、このコンベヤ本体の前記脚被固定板に対して第１固定具および第２固定具にて固定された回動調節可能な本体支持脚とを具備し、前記脚被固定板は、前記本体支持脚の回動調節の際に回動中心となる回動中心孔と、この回動中心孔を中心とする円弧状の円弧状長孔と、前記回動中心孔に連続した第１水平用孔と、この第１水平用孔に対応し前記円弧状長孔に連続した第２水平用孔とを有し、前記コンベヤ本体の傾斜状態時には、前記第１固定具が前記回動中心孔内に位置するとともに、前記第２固定具が前記円弧状長孔内に位置し、前記コンベヤ本体の水平状態時には、前記第１固定具が前記第１水平用孔内に位置するとともに、前記第２固定具が前記第２水平用孔内に位置するものである。
【０００８】
そして、脚被固定板の第１水平用孔および第２水平用孔を利用することにより、コンベヤ本体を容易に水平状態にすることが可能である。
【０００９】
請求項３記載のコンベヤ装置は、請求項２記載のコンベヤ装置において、第１水平用孔および第２水平用孔は、いずれも上方膨出状に形成されているものである。
【００１０】
そして、第１水平用孔および第２水平用孔がいずれも上方膨出状に形成されているため、コンベヤ本体の自重によりコンベヤ本体をより一層容易に水平状態にすることが可能である。
【発明の効果】
【００１１】
請求項１記載のコンベヤ装置によれば、本体支持脚を水平支持位置に位置決めするための水平用孔が円弧状長孔に連続した状態に形成されているため、コンベヤ本体を容易に水平状態にできる。
【００１２】
請求項２記載のコンベヤ装置によれば、脚被固定板の第１水平用孔および第２水平用孔を利用することにより、コンベヤ本体を容易に水平状態にできる。
【００１３】
請求項３記載のコンベヤ装置によれば、第１水平用孔および第２水平用孔がいずれも上方膨出状に形成されているため、コンベヤ本体の自重によりコンベヤ本体をより一層容易に水平状態にできる。
【発明を実施するための最良の形態】
【００１４】
本発明のコンベヤ装置の一実施の形態を図面を参照して説明する。
【００１５】
図１ないし図３において、１はローラ式のコンベヤ装置で、このコンベヤ装置１は、物品Ｗを搬送方向（図示Ｘ方向）に搬送する長手状のコンベヤ本体２と、コンベヤ本体２の長手方向両端部に設けられコンベヤ本体２を支持する回動調節可能な複数、例えば２つの本体支持脚３とを具備している。
【００１６】
コンベヤ本体２は、互いに離間対向した左右一対をなす長手状で断面略Ｃ字状のコンベヤフレーム５を備えている。
【００１７】
両コンベヤフレーム５の各々の長手方向両端部には、脚被固定板（脚取付プレート）６が固定具７にて着脱可能に固定されている。固定具７は、例えばボルト（特殊角根丸頭ボルト）８およびこのボルト８に螺合されたナット（六角ナット）９にて構成されている。
【００１８】
また、両コンベヤフレーム５間には、物品Ｗを搬送方向に載置搬送する回転可能な複数の搬送ローラ10が配設されている。なお、各搬送ローラ10は、図示しないモータ等の駆動手段からの動力で回転するようになっている。
【００１９】
ここで、コンベヤ本体２の脚被固定板６は、図４ないし図７にも示すように、例えば水平板部11と垂直板部12とにて構成された断面略逆Ｌ字状のもので、水平板部11には、複数（例えば４つ）の固定用孔14が形成されている。そして、互いに上下に一致したコンベヤフレーム５の底面部の孔15および脚被固定板６の固定用孔14に対して、固定具７のボルト８が挿通されている。
【００２０】
また、垂直板部12の下部には、本体支持脚３の回動調節の際に回動中心となる回動中心孔21が形成されているとともに、この回動中心孔21に連続した略半円状の第１水平用孔22が回動中心孔21から上方に向って膨出状に形成されている。
【００２１】
すなわち、脚被固定板６の垂直板部12の下部には、本体支持脚３をこの本体支持脚３がコンベヤ本体２を水平状態に支持する水平支持位置に位置決めするための上方膨出状の第１水平用孔22を含んだ略楕円状の楕円状孔部23が上下方向にやや長手状に開口形成されている。
【００２２】
さらに、垂直板部12の略中央部には、回動中心孔21を中心とする円弧状で左右方向に長手状の円弧状長孔26が形成されているとともに、第１水平用孔22に対応し円弧状長孔26に連続した略半円状の第２水平用孔（水平用孔）27が円弧状長孔26の長手方向中央から上方に向って膨出状に形成されている。
【００２３】
すなわち、脚被固定板６の垂直板部12の略中央部には、本体支持脚３をこの本体支持脚３がコンベヤ本体２を水平状態に支持する水平支持位置に位置決めするための上方膨出状の第２水平用孔27を含んだ膨出孔付き円弧状長孔部28が楕円状孔部23の上方に位置して形成されている。
【００２４】
なお、垂直板部12のテーパ状の下端縁部における楕円状孔部23の側方位置には、略半円切欠状の凹部29がそれぞれ形成されている。また、コンベヤ本体２は、コンベヤフレーム５、脚被固定板６、搬送ローラ10および駆動手段等にて構成されている。
【００２５】
一方、本体支持脚３は、コンベヤ本体２に対して脚被固定板６の円弧状長孔26を利用して回動調節可能なもので、例えば互いに離間対向した左右一対の脚柱部31を備えるとともに、両脚柱部31の中間部相互を一体的に連結した水平状の連結部32とを備えている。
【００２６】
各脚柱部31は、断面略コ字状の脚材、アジャストベースおよびアジャスト金具等にて構成された縦長状もので、高さ調節可能となっている。また、各脚柱部31の上端部には、上下一対で２つの孔、つまり下側の第１孔33および上側の第２孔34がそれぞれ形成されている。
【００２７】
そして、本体支持脚３は、コンベヤ本体２の脚被固定板６に対して第１固定具41および第２固定具42にて着脱可能に固定されている。なお、第１固定具41は、例えば第１ボルト（六角ボルト）43およびこの第１ボルト43に螺合された第１ナット（六角ナット）44にて構成されている。第２固定具42も、第１固定具41と同様、例えば第２ボルト（六角ボルト）45およびこの第２ボルト45に螺合された第２ナット（六角ナット）46にて構成されている。
【００２８】
例えば図１ないし図４に示すコンベヤ本体２の水平状態時、つまりコンベヤ本体２と直交する水平支持位置に位置した本体支持脚３にてコンベヤ本体２が水平状態に支持された状態時には、互いに左右に一致した第１水平用孔22および第１孔33に挿通された第１ボルト43と、この第１ボルト43に螺合された第１ナット44と、互いに左右に一致した第２水平用孔27および第２孔34に挿通された第２ボルト45と、この第２ボルト45に螺合された第２ナット46とによって、本体支持脚３が、コンベヤ本体２の脚被固定板６に対して固定されている。そして、このコンベヤ本体２の水平状態時には、物品Ｗは、コンベヤ本体２の駆動手段からの動力で回転する搬送ローラ10にて、水平な搬送方向に搬送される。
【００２９】
なお、本体支持脚３を水平支持位置に位置決めする際には、コンベヤ本体２の自重に基づいて、第１ボルト43が第１水平用孔22内に入り込むとともに第２ボルト45が第２水平用孔27内に入り込むため、本体支持脚３の位置決めをきわめて簡単に行うことが可能である。
【００３０】
また、図８および図９に示すコンベヤ本体２の傾斜状態時、つまり傾斜支持位置に位置した本体支持脚３にてコンベヤ本体２が所望の傾斜状態に支持された状態時には、互いに左右に一致した回動中心孔21および第１孔33に挿通された第１ボルト43と、この第１ボルト43に螺合された第１ナット44と、互いに左右に一致した円弧状長孔26の所望位置および第２孔34に挿通された第２ボルト45と、この第２ボルト45に螺合された第２ナット46とによって、本体支持脚３が、コンベヤ本体２の脚被固定板６に対して固定されている。そして、このコンベヤ本体２の傾斜状態時には、物品Ｗは、コンベヤ本体２の駆動手段からの動力で回転する搬送ローラ10にて、傾斜した搬送方向に搬送される。
【００３１】
このようにコンベヤ装置１は、コンベヤ本体２の傾斜状態時には第１固定具41の第１ボルト43が回動中心孔21内に位置するとともに第２固定具42の第２ボルト45が円弧状長孔26内に位置し、コンベヤ本体２の水平状態時には第１固定具41の第１ボルト43が第１水平用孔22内に位置するとともに第２固定具42の第２ボルト45が第２水平用孔27内に位置するものであるから、第１水平用孔22および第２水平用孔27を利用することで、本体支持脚３を所定の水平支持位置に簡単に位置決めでき、コンベヤ本体２を容易に水平状態にできる。
【００３２】
また、第１水平用孔22および第２水平用孔27を利用することにより、コンベヤ装置１の運送時に振動で本体支持脚３の位置がずれること等を防止できるとともに、コンベヤ装置１による物品Ｗの搬送時に振動で本体支持脚３が倒れること等を防止できる。
【００３３】
さらに、下側の第１水平用孔22が回動中心孔21の上側に連続して上方膨出状に形成されかつ上側の第２水平用孔27が円弧状長孔26の上側に連続して上方膨出状に形成されているため、コンベヤ本体２の自重を利用でき、本体支持脚３を水平支持位置に容易に位置決めできるとともに本体支持脚３が水平支持位置からずれるのを防止できる。
【００３４】
また、図１０に示すように、本体支持脚３をコンベヤ本体２と平行な折畳位置に折畳む場合に、第２ボルト45の頭部45aの一部を脚被固定板６の凹部29内に位置させ、頭部45aと凹部29とを当接させることで、コンベヤ本体２に対して本体支持脚３をボルト43，45にて２点止めでき、本体支持脚３の不本意な回動を適切に防止できる。
【００３５】
なお、コンベヤ装置１は、複数の搬送ローラ10を備えたローラコンベヤには限定されず、例えば無端状の搬送ベルトを備えたベルトコンベヤ等でもよく、また、駆動式か非駆動式かを問わない。
【００３６】
また、固定具７、第１固定具41および第２固定具42は、ボルトおよびナットからなるものには限定されず、例えばおねじのみからなるもの等でもよい。
【００３７】
さらに、コンベヤ装置１は、コンベヤ本体２が円弧状長孔26およびこの円弧状長孔26に連続した水平用孔（第２水平用孔27）を有するものには限定されず、例えば本体支持脚３が円弧状長孔26およびこの円弧状長孔26に連続した水平用孔を有するもの等でもよい。
【図面の簡単な説明】
【００３８】
【図１】本発明のコンベヤ装置の一実施の形態を示す概略側面図である。
【図２】同上コンベヤ装置の概略正面図である。
【図３】同上コンベヤ装置の要部側面図である。
【図４】同上コンベヤ装置の要部の正面視断面図である。
【図５】同上コンベヤ装置の要部の平面視断面図である。
【図６】同上コンベヤ装置の脚被固定板（脚取付プレート）の正面図である。
【図７】同上コンベヤ装置の脚被固定板の平面図である。
【図８】同上コンベヤ装置の傾斜状態時の概略側面図である。
【図９】同上コンベヤ装置の要部側面図である。
【図１０】同上コンベヤ装置の脚折畳時の要部側面図である。
【符号の説明】
【００３９】
１    コンベヤ装置
２    コンベヤ本体
３    本体支持脚
６    脚被固定板
21    回動中心孔
22    第１水平用孔
26    円弧状長孔
27    水平用孔である第２水平用孔
41    第１固定具
42    第２固定具
【図１】
2005075593.tif 000003
【図２】
2005075593.tif 000004
【図３】
2005075593.tif 000005
【図４】
2005075593.tif 000006
【図５】
2005075593.tif 000007
【図６】
2005075593.tif 000008
【図７】
2005075593.tif 000009
【図８】
2005075593.tif 000010
【図９】
2005075593.tif 000011
【図１０】
2005075593.tif 000012